(57)【要約】【課題】  タイトル情報が取得されていない状態でも、タイトル情報が記録できる媒体にコンテンツデータを記録し、タイトル情報を後ほど媒体に追記できるコンテンツ記録装置を提供する。【解決手段】  コンテンツと、再生情報（ＰＩ）と、タイトル情報（ＴＩ）とを対応して記録媒体（１５０）に記録するコンテンツ記録装置（ＡＴＣ）において、コンテンツ抽出機（１６）はコンテンツデータ（Ｓｒ）からコンテンツ（Ｓｒ）を抽出し、再生情報抽出器（１７）はコンテンツデータ（Ｓｒ）から再生情報（ＰＩ）を抽出し、再生情報生成器は抽出されたコンテンツを記録媒体（１５０）から再生する際に必要な第２の再生情報を生成し、タイトル情報抽出手段（２４）はコンテンツデータ（Ｓｒ）からタイトル情報（Ｓｃ：ＴＩ；ＴＩｍ）を抽出し、記録器（１１１）はコンテンツ（Ｓｒ）、再生情報（Ｓｄｍ）、およびタイトル情報（Ｓｃ）を記録媒体（１５０）に書き込む。【選択図】  図１
2005293756.tif 000002
【特許請求の範囲】
【請求項１】
映像情報および音声情報の少なくとも１つで表現されるコンテンツを構成するコンテンツデータに基づいて、コンテンツと、コンテンツを再生するために必要な第１の再生情報と、コンテンツの内容を表すタイトル情報とを対応して第１の記録媒体に記録するコンテンツ記録装置であって、
前記コンテンツデータから前記コンテンツを抽出するコンテンツ抽出手段と、
前記コンテンツデータから前記第１の再生情報を抽出する第１の再生情報抽出手段と、
前記抽出されたコンテンツを前記第１の記録媒体から再生する際に必要な第２の再生情報を生成する再生情報生成手段と、
前記コンテンツデータから前記タイトル情報を抽出するタイトル情報抽出手段と、
前記抽出されたコンテンツ、前記抽出された第１の再生情報、前記生成された第２の再生情報、および前記抽出されたタイトル情報を前記第１の記録媒体に書き込む第１の記録手段と、
前記コンテンツデータに前記タイトル情報が含まれているか否かを判断する第１の判断手段とを備えるコンテンツ記録装置。
【請求項２】
前記タイトル情報が含まれていると判断される場合には、前記第１の記録手段に、前記抽出されたコンテンツと、前記抽出されたタイトル情報と、前記生成された第２の再生情報とを対応させて、前記第１の記録媒体に記録させる第１の記録制御手段をさらに備える請求項１に記載のコンテンツ記録装置。
【請求項３】
前記タイトル情報が含まれていないと判断される場合には、前記第１の記録手段に前記抽出されたコンテンツと、前記抽出された第１の再生情報と、前記生成された第２の再生情報とを対応させて、前記第１の記録媒体に記録させる第２の記録制御手段をさらに備える請求項１に記載のコンテンツ記録装置。
【請求項４】
複数のコンテンツの前記第１の再生情報と前記タイトル情報とが対応づけられて記録されている第２の記録媒体から前記第１の記録媒体に記録されている第１の再生情報に対応するタイトル情報を読み出すタイトル情報読出手段とを、さらに備える請求項３に記載のコンテンツ記録装置。
【請求項５】
前記第２の記録媒体から読み出されたタイトル情報で、前記第１の記録媒体に記録されている前記第１の再生情報を置き換える第２の記録手段をさらに備える請求項４に記載のコンテンツ記録装置。
【請求項６】
前記タイトル情報読出手段は、
前記第１の記録媒体から第１の再生情報を読み出す第１の再生情報読出手段と、
前記第２の記録媒体から第１の再生情報を読み出す第２の再生情報読出手段と、
前記第１の記録媒体から読み出された第１の再生情報と前記第２の記録媒体から読み出された第１の再生情報とが同一であるか否かを判断する第２の判断手段と、
前記第１の記録媒体から読み出された第１の再生情報と前記第２の記録媒体から読み出された第１の再生情報とが同一であると判断される時に、前記第２の記録手段に前記第２の記録媒体から読み出されたタイトル情報で前記第１の記録媒体に記録されている前記第１の再生情報を置き換えさせる第３の記録制御手段とを備える請求項５に記載のコンテンツ記録装置。
【請求項７】
前記コンテンツデータは光学式記録媒体に記録されおり、前記再生情報はＴＯＣ情報であることを特徴とする請求項１に記載のコンテンツ記録装置。
【請求項８】
前記第２の記録媒体は、ブリッジメディアであることを特徴とする請求項４に記載のコンテンツ記録装置。
【発明の詳細な説明】
【技術分野】
【０００１】
光学式記録媒体に記録されているコンテンツを別の記録媒体に記録する記録装置であって、さらに詳述すれば、コンテンツデータのタイトル情報を外部データベースより取得して、コンテンツと一緒に記録するコンテンツ記録装置に関する。
【背景技術】
【０００２】
近年、コンパクトディスクプレーヤやレーザーディスクプレーヤ等に代表される光学式記録媒体の再生装置は、その小型軽量化、低価格化、および省電力における進歩は目覚ましい。その結実としてコンテンツの連続長時間再生が可能な携帯型の再生装置が種々商品化されている。
【０００３】
このような携帯型の再生装置として、光学式記録媒体としてＭＤ（Ｒ）ディスクを用いたものがある。この再生装置は、主にユーザが音楽用コンパクトディスク（以降、「ＣＤ」と称する）に記録されている音楽を、ＭＤディスク（以降「ＭＤ」と称する）に記録しておき、ＭＤから音楽を再生して楽しむという用途に供される。
【０００４】
ＭＤでは、コンテンツである音楽データと、音楽データから音楽を再生するためにＭＤ再生装置が必要とする再生情報（以降、「ＭＤ再生情報ＰＩｍ」と称す）と、ユーザがコンテンツの内容を認識するために必要な音楽ＣＤ名（アルバム名）や音楽の曲名等を表す情報（以降、「ＭＤタイトル情報ＴＩｍ」と称す）のそれぞれが所定の領域に記録される。ＭＤ再生装置は、ＭＤの再生時に、ＭＤタイトル情報ＴＩｍを読み出して、再生中のアルバム名や、曲名をユーザに対して表示できる。
しかしながら、音楽データ源であるＣＤには、音楽データと、ＣＤ再生装置が音楽の再生に必要とする再生情報（以降、「ＣＤ再生情報ＰＩ」と称する）とは記録されているが、通常ユーザが知りたがる音楽ＣＤ名（アルバム名）や音楽の曲名等を表す情報（以降、「ＣＤタイトル情報ＴＩ」と称す）は記録されていない。
【０００５】
図９および図１０を参照して、ＣＤ再生情報ＰＩについて説明する。ＣＤ再生情報ＰＩには、サブコード信号とＴＯＣ（ＴＡＢＬＥ  ＯＦ  ＣＯＮＴＥＮＴＳ）情報とが含まれる。
【０００６】
図９に、サブコード信号のチャンネルフォーマットを模式的に示す。ＣＤのサブコード信号は、７．３５ＫＨｚのＣＤ記録信号のフレームが９８個で一つのブロックをつくっている。１フレームあたり８ビットのサブコード信号には、１ビット毎にＰ，Ｑ，Ｒ，Ｓ，Ｔ，Ｕ，Ｖ，Ｗチャンネルという名称がつけられている。
【０００７】
ＰチャンネルからＷチャンネルまでのサブコード信号のうち、ＰチャンネルおよびＱチャンネルは曲の頭出しや予め設定された順序にしたがって再生するプログラム機能をもたせるために用いられている。Ｑチャンネルには、現在再生している音楽信号が第何曲目であるか等の位置情報が示されている。このＱチャンネル信号により、例えば、曲のナンバー（ＴＮＯ）＝“１２“ならば現在そのＣＤの１２曲目を再生していることが分かる。
【０００８】
図１０にＴＯＣ情報のフォーマットを模式的に示す。ＴＯＣ信号には、そのＣＤに収録されている最終曲のナンバーや全曲の演奏終了時間位置、各演奏曲の開始時間位置等の情報がＣＤの最内周に記録されている。上述のＱチャンネルの信号には、現在再生している音楽信号が第何曲目であるか等の位置情報が示されている。同図に示すように、Ｑチャンネルの信号で曲のナンバー（ＴＮＯ）＝“００“となっているのがＴＯＣ信号で、インデ
ックス（Ｘ）の値により示す情報の種類が異なる。
【０００９】
Ｘ＝“Ａ１“は最終曲のナンバー（ＬＡＳＴ  ＴＮＯ）を示し、Ｘ＝“Ａ２“はそのＣ
Ｄの全曲の演奏終了時間（ＴＯＴＡＬ  ＴＩＭＥ）等の情報を示している。そして、Ｘ＝“０１”は、１曲目の開始位置を示し、Ｘ＝０２は２曲目の開始位置を示し、以下同様に、Ｘ＝Ｎ（ＮはＣＤに記録が許される最大のトラック数以下の自然数）はＮ曲目の位置を示している。
【００１０】
このように、ＣＤには、記録されている曲（トラック）ごとの名前や、記録されている曲から構成されるアルバムの名前等の、ユーザがそのコンテンツの内容を知るために必要な情報（ＣＤタイトル情報ＴＩ）が含まれていない。
【００１１】
ＣＤに記録されている音楽をＭＤに記録する際には、ＭＤタイトル情報ＴＩはＭＤ記録装置が生成してＭＤに記録する。しかしながら、ＣＤタイトル情報ＴＩがＣＤに記録されていないので、ＭＤ記録装置はＭＤタイトル情報ＴＩｍを生成してＭＤに記録することができない。タイトル情報（ＭＤタイトル情報ＴＩｍ）が記録されていないＭＤを再生すると、当然ながら、再生中のアルバム名や曲名のコンテンツ内容を表示できない。
【００１２】
このような事態を防ぐためには、先ず、ＣＤに記録されていないＣＤタイトル情報ＴＩを用意する必要がある。ＣＤタイトル情報ＴＩを、ＣＤ以外の情報源から取得する３つの方法が従来知られている。
【００１３】
第１の方法はユーザ自身が入力するものである。この方法では、再生の度にユーザがジャケットと呼ばれるＣＤのケース等を見て、再生中のＣＤのアルバム名や曲名等のタイトル名を知る。そして、アルバム名や第何曲目がどういう題名の曲であるか等のタイトル情報をＣＤ再生装置に入力する。
【００１４】
第２の方法（特許文献１）は、第１の方法と同様に、ユーザがジャケット等を見て、再生中のＣＤのアルバム名や曲名等のタイトル名を再生装置等に入力するものである。ただし、再生の都度に調べて入力するのではなく、事前に、調べたアルバム名やタイトル名を、ＣＤ再生情報ＰＩと関連させてＣＤタイトル情報ＴＩとしてメモリに記憶させる。このメモリに基づいて、後ほどＣＤから音楽を再生する際に、再生装置によるアルバム名や曲名の表示を可能にしている。
【００１５】
第３の方法（特許文献２、特許文献３、特許文献４、特許文献５、特許文献６、特許文献７、特許文献８）は、第１の方法および第２の方法におけるようにユーザがアルバムや曲名のタイトル名を調べるのではなく、インターネット等に代表されるネットワークを介して、外部に設けられたデータベース（「タイトル情報データベース」と略称）から、再生中或いは所有する音楽データのＣＤタイトル情報ＴＩを取得する。
具体的には、ＣＤから取得したＣＤ再生情報ＰＩをキーとして、タイトル情報データベース内を検索する。そして、同一のＣＤ再生情報ＰＩが見つかれば、そのＣＤ再生情報ＰＩに対応づけられて記録されているＣＤタイトル情報ＴＩをダウンロードする。ＣＤ再生情報ＰＩの取得と、取得したＣＤ再生情報ＰＩによる外部データベース検索およびＣＤタイトル情報ＴＩのダウンロードとは、通信機能を有するパーソナルコンピュータによって一体的に実現される。つまり、ＣＤ再生情報ＰＩとＣＤタイトル情報ＴＩは単一の装置によって取得される。
【００１６】
上述の３つ方法で、取得されたＣＤタイトル情報ＴＩをＭＤタイトル情報ＴＩｍとして利用して、ＭＤに書き込むことで、本発明の課題を解決することが考えられる。
【特許文献１】特許第３１６２０６４号公報
【特許文献２】米国特許第５，９８７，５２５号明細書
【特許文献３】米国特許第６，０６１，６８０号明細書
【特許文献４】米国特許第６，１５４，７７３号明細書
【特許文献５】米国特許第６，１６１，１３２号明細書
【特許文献６】米国特許第６，２３０，２０７号明細書
【特許文献７】米国特許第６，２４０，４５９号明細書
【特許文献８】米国特許第６，３０４，５２３号明細書
【発明の開示】
【発明が解決しようとする課題】
【００１７】
上述のＣＤタイトル情報ＴＩを取得する何れの方法においても、ＣＤからＭＤに音楽を記録（以降、「ＭＤ記録」と略称）する時点で、当該ＣＤのＣＤタイトル情報ＴＩの取得が終わっていなければならない。少なくともＭＤ記録が完了するまでには、ＣＤタイトル情報ＴＩが取得されなければならない。ＣＤタイトル情報ＴＩの取得が終わっていなければ、ＭＤにＭＤタイトル情報ＴＩｍとしてアルバム名やタイトル名を入力できない。
【００１８】
そのために、第１の方法においては、ＭＤ記録時に、ユーザはＣＤ再生装置およびＭＤ記録装置を操作して、読みとったアルバム名や曲名を入力しなければならない。この間、ユーザはＣＤ再生装置およびＭＤ記録装置に付きっきりの状態になる。ユーザとしては、非常に煩わしい作業が強いられることになる。
【００１９】
第２の方法においては、第１の方法の場合と異なり、ＭＤ記録の間、ユーザが付きっきりの問題は解消される。しかしながら、ＭＤ記録の開始前に、ユーザはＣＤタイトル情報ＴＩの取得および記録媒体への入力を完了しておかなければならない。よって、ユーザが思い立った時に、何時でも自由にＭＤ記録をするわけにはいかないので、勝手が良くない。
【００２０】
第３の方法においても、第２の方法と同様にユーザがＭＤ記録の間にＣＤ再生装置およびＭＤ記録装置に付きっきりになる必要はない。さらに、第３の方法では、ユーザによるタイトル名や曲名の読み取りおよび入力作業が不要である点が第２の方法と異なる。しかし、ＭＤ記録の開始前に、ＣＤタイトル情報ＴＩを取得しておかなければならない点は、第１の方法および第２の方法におけると同様である。
【００２１】
さらに、第３の方法においては、ＣＤタイトル情報ＴＩの取得に外部のデータベースを利用するための設備および環境が必要である。外部データベースの検索は、ＣＤから読み取るＣＤ再生情報ＰＩをキーとして行われるので、ＣＤ再生とＣＤタイトル情報ＴＩの取得との２つの機能が同一の装置で実現されなければならない。そのために、通信機能を有すると共に通信環境に在るパーソナルコンピュータが用いられる。よって、第３の方法を利用して、ＭＤタイトル情報ＴＩｍを取得してＭＤに記録するためには、ＣＤからＣＤ再生情報ＰＩと音楽データを読み出して記録するＭＤ記録装置も外部データベースからＣＤタイトル情報ＴＩをダウロードできる通信機能と通信環境を有しなければならない。
このような通信機能や通信環境をＣＤ再生装置或いはＭＤ記録装置に備えさせることは、装置の大型化、重量化、コストの増大化、および消費電力の増大を招き好ましくない。ＭＤタイトル情報ＴＩｍの取得の目的だけに、そのような設備および環境が必須という制約は、極めて不合理かつ非効率である。
【００２２】
なお、上述の諸問題の基本的な原因は、コンテンツデータの提供形態、つまり放送や配信或いは記録媒体にあるのではなく、提供されるコンテンツデータに、タイトル情報が含まれていないことにある。つまり、光学式記録媒体の１つである音楽用ＣＤを例に挙げて本発明が解決すべき課題について説明したが、タイトル情報が含まれないコンテンツデータであれば供給形態や記録媒体の種類に関わらず同じ問題を有する。つまり、ネットワーク配信、通信、および放送で供給されるコンテンツおよび光学式記録媒体以外の半導体或いはテープ状の記録媒体に記録されて供給されるコンテンツデータの場合でも、タイトル情報が含まれていないものを、タイトル情報を記録できる媒体に記録する場合には同じ問題が生じる。
【００２３】
よって、本発明は、タイトル情報が取得されていない状態でも、タイトル情報が記録できる媒体にコンテンツデータを記録し、タイトル情報を後ほど媒体に追記できるコンテンツ記録装置を提供することを目的とする。
【課題を解決するための手段】
【００２４】
上記課題を解決するために本発明にかかる、映像情報および音声情報の少なくとも１つで表現されるコンテンツを構成するコンテンツデータに基づいて、コンテンツと、コンテンツを再生するために必要な第１の再生情報と、コンテンツの内容を表すタイトル情報（ＴＩ）とを対応して第１の記録媒体に記録するコンテンツ記録装置は、
前記コンテンツデータから前記コンテンツを抽出するコンテンツ抽出手段と、
前記コンテンツデータから前記第１の再生情報を抽出する第１の再生情報抽出手段と、
前記抽出されたコンテンツを前記第１の記録媒体から再生する際に必要な第２の再生情報を生成する再生情報生成手段と、
前記コンテンツデータから前記タイトル情報を抽出するタイトル情報抽出手段と、
前記抽出されたコンテンツ、前記抽出された第１の再生情報、前記生成された第２の再生情報、および前記抽出されたタイトル情報を前記第１の記録媒体に書き込む第１の記録手段と、
前記コンテンツデータに前記タイトル情報が含まれているか否かを判断する第１の判断手段とを備える。
【発明の効果】
【００２５】
本発明においては、コンテンツの内容を示すタイトル情報を含まないコンテンツデータを媒体に記録しておき、後ほどコンテンツデータとは異なる情報源からタイトル情報を取得して、当該媒体に追記することによって、当該媒体に記録されているコンテンツの内容を表示可能とする。
【発明を実施するための最良の形態】
【００２６】
先ず、本発明の基本的概念について説明する。本発明においては、コンテンツの記録の際に、コンテンツデータにタイトル情報が準備されていなければ、記録媒体にはコンテンツデータと再生情報のみを書込む。
コンテンツの記録の完了後に、インターネットや通信回線で外部データベースに接続できる既存のパーソナルコンピュータを利用して、再生情報をキーにして、対応するタイトル情報を外部データベースから取得する。そして、記録媒体に記録されている再生情報を取得されたタイトル情報で置き換える。
なお、データベース検索の際にキーとなる再生情報は、ブリッジメディアやケーブルを介してパーソナルコンピュータに供給する。結果、コンテンツの記録装置は外部データベースに接続するための設備や環境を必要とせずに、記録媒体にタイトル情報を表示できる状態でコンテンツを記録できる。
【００２７】
上述のように、本発明が解決しようとする課題は、再生情報は含まれるがタイトル情報は含まれないコンテンツデータを、タイトル情報も記録できる媒体に記録する場合に生じるものである。よって、記録されるコンテンツデータは、放送、通信、およびネットワーク等で配信されても良く、種々の記録媒体に記録されて供給されてもよい。
【００２８】
なお、本明細書においては、本発明にかかる実施形態を下記の構成例に基づいて説明する。つまり、コンテンツデータは光学式記録媒体である音楽用コンパクトディスク（ＣＤ）に記録されて供給され、ＣＤからコンテンツ（音楽）を再生する再生装置は、複数のディスクを交換して再生できるオートチャンジャ付きの固定型とする。再生されたコンテンツである音楽は、光磁気式媒体であるＭＤに記録される。なお、ＣＤの再生装置およびＭＤの記録装置をそれぞれ、ＣＤ再生装置およびＭＤ記録装置と呼ぶものとする。また、外部データベースに接続可能な設備はパーソナルコンピュータで実現される。さらに、ＣＤ再生装置或いはＭＤ記録装置とパーソナルコンピュータとの間での再生情報の交換はブリッジメディアを利用する。
【００２９】
図１を参照して、本発明におけるコンテンツ記録装置が組み込まれたコンテンツ記録システムの構成について説明する。コンテンツ記録システムＡＴＣは、コンテンツ記録再生装置１００、ブリッジメディア２００、およびタイトル情報取得装置３００に大別される。コンテンツ記録再生装置１００は、コンテンツデータ源からコンテンツを再生すると共に、ＣＤ再生情報ＰＩを取得するコンテンツ再生装置１００Ｐと再生されたコンテンツを記録媒体に記録コンテンツ記録装置１００Ｒを含む。コンテンツ再生装置１００Ｐとコンテンツ記録装置１００ＲはラインＬ１、ラインＬ２、ラインＬ３、ラインＬ４、およびラインＬ５によって相互に接続されて種々の信号を交換する。なお、本例においては、コンテンツデータ源は音楽用ＣＤであり、コンテンツは音楽であり、記録媒体はＭＤであることは、上述の通りである。
【００３０】
タイトル情報取得装置３００は、ネットワークＮＷや通信回線等を介して、外部に設けられたタイトル情報データベースサ−バＤＢから、再生されるＣＤのＣＤタイトル情報ＴＩを取得する。好ましくは、ＣＤ再生装置１００ＰはＣＤの再生装置として実現され、ＭＤ記録装置１００ＲはＭＤの記録再生装置として実現され、タイトル情報取得装置３００はパーソナルコンピュータによって実現される。この意味において、コンテンツ再生装置１００Ｐ、コンテンツ記録装置１００Ｒ、およびタイトル情報取得装置３００を、必要に応じて、それぞれＣＤ再生装置１００Ｐ、ＭＤ記録装置１００Ｒ、およびＰＣ３００と呼称する。
【００３１】
なお、ブリッジメディア２００がコンテンツ再生装置１００Ｐとタイトル情報取得装置３００との間で交換されて、ＣＤタイトル表示情報Ｔｄが生成される。つまり、ブリッジメディア２００は、コンテンツ再生装置１００ＰによってＣＤ再生情報ＰＩが書き込まれ、タイトル情報取得装置３００によってＣＤ再生情報ＰＩに対応するＣＤタイトル情報ＴＩが書き込まれる。そして、ブリッジメディア２００上でＣＤ再生情報ＰＩとＣＤタイトル情報ＴＩとが合成されてＣＤタイトル表示情報Ｔｄが生成される。後ほど、図４を参照してＣＤタイトル表示情報Ｔｄ、ＣＤ再生情報ＰＩ、およびＣＤタイトル情報ＴＩについて説明する。
【００３２】
言い換えれば、ブリッジメディア２００によってＣＤ再生情報ＰＩがＰＣ３００に供給され、ＰＣ３００で完成されたＣＤタイトル表示情報Ｔｄがコンテンツ記録再生装置１００に供給される。この動作については、後ほど図６および図７を参照して詳述する。
【００３３】
図２を参照して、コンテンツ再生装置１００Ｐ、つまりＣＤ再生装置１００Ｐについて説明する。ＣＤ再生装置１００Ｐは、ＣＤ格納器１４、ＣＤ選択器１５、ＣＤ再生器１６、ＣＤ認識信号抽出器１７、表示器１９、記憶制御器２０、ＣＤ認識器２１、読出制御器２２、読出情報処理器２３、収納曲情報抽出器２４、操作器２５、再生位置検出器２６、および記憶内容移植器２７を含む。なお、ＣＤ再生器１６はラインＬ１で、ＣＤ認識信号抽出器１７はラインＬ２で、読出情報処理器２３はラインＬ３およびラインＬ４、操作器２５はラインＬ５でコンテンツ記録装置１００Ｒに接続されている。
【００３４】
操作器２５は、好ましくはスイッチ群を有するキーボードやリモコンとして構成されて、ユーザの操作に応じて、ユーザの選択や指示を表す操作信号Ｓｏを生成する。操作信号Ｓｏは、ＣＤ選択器１５、読出制御器２２、記憶内容移植器２７、およびコンテンツ記録装置１００Ｒに供給される。
【００３５】
ＣＤ格納器１４は、ＣＤ収納器１２とブリッジメディア書読器１３とを有している。ＣＤ収納器１２は、複数枚のＣＤを収納しておくチェンジャマガジンと呼ばれるもので、通常、ＣＤ再生装置１００Ｐの本体からは着脱自在に構成される。そして、ユーザは、ＣＤ再生装置１００Ｐの本体から取り外した状態のＣＤ収納器１２に、ＣＤ１１を装着および収納する。本例においては、５枚のＣＤが格納されており、それぞれをＣＤ１１Ａ、ＣＤ１１Ｂ、ＣＤ１１Ｃ、ＣＤ１１Ｄ、およびＣＤ１１Ｅと識別するものとする。
【００３６】
ブリッジメディア書読器１３（図面中では、「ＢＭ  Ｒ／Ｗ」と表記）は、スタティックＲＡＭやダイナミックＲＡＭ等の固体メモリ素子を用い乾電池電源等でその内容が消去されないようにバックアップされているＲＡＭカード或いはフラッシュメモリを使用したＩＣカード等に代表されるブリッジメディア２００（図面中では、「ＢＭ」と表記）に対するデータの書き込みおよび読み出しを行う機能を有している。
【００３７】
ＣＤ選択器１５は、操作器２５から入力される操作信号Ｓｏに基づいて、ＣＤ収納器１２中の複数のＣＤ１１Ａ〜ＣＤ１１Ｅのうち任意の１つを取り出してＣＤ再生器１６に載置させ、さらにＣＤ再生器１６からＣＤ収納器１２の元の位置に戻させる機能を有する。なお、図２には、ＣＤ１１Ｂが取り出されてＣＤ再生器１６に載置されている例が示されている。
【００３８】
ＣＤ再生器１６は、操作器２５から入力される操作信号Ｓｏに基づいて、載置されているＣＤ１１に記録されている信号を再生して再生信号Ｓｒを生成する。再生信号ＳｒはＣＤ認識信号抽出器１７、収納曲情報抽出器２４、および再生位置検出器２６に供給される。再生信号Ｓｒは、ラインＬ１を介してコンテンツ記録装置１００Ｒにも供給される。なお、必要に応じて、再生信号Ｓｒも対応するＣＤに応じて、それぞれ、再生信号ＳｒＡ、再生信号ＳｒＢ、再生信号ＳｒＣ、再生信号ＳｒＤ、および再生信号ＳｒＥと識別する。つまり、本例においては、ＣＤ１１Ｂから再生信号ＳｒＢが再生される。以降、同様に各信号の符号にＡ〜Ｅの何れかを附して、その信号の起源であるＣＤの別を表すものとする。
【００３９】
ＣＤ認識信号抽出器１７は、ＣＤ再生器１６から出力された再生信号Ｓｒに含まれるＴＯＣ情報からＣＤを認識するためのＣＤ認識信号Ｓｄを生成して、記憶制御器２０に出力する。ＣＤ認識信号Ｓｄは、ラインＬ２を介してコンテンツ記録装置１００Ｒにも供給される。上述のように、必要に応じて、ＣＤ認識信号Ｓｄも対応するＣＤに応じて、それぞれ、ＣＤ認識信号ＳｄＡ、ＣＤ認識信号ＳｄＢ、ＣＤ認識信号ＳｄＣ、ＣＤ認識信号ＳｄＤ、およびＣＤ認識信号ＳｄＥと識別する。つまり、本例においては、再生信号ＳｒＢに基づいて、ＣＤ１１Ｂを識別するＣＤ認識信号ＳｄＢが取り出される。
【００４０】
収納曲情報抽出器２４は、再生信号Ｓｒに基づいて、サブコードから記録内容が何であるかを表わす内容情報Ｉｃを取り出して、内容情報信号Ｓｃを生成して記憶制御器２０に出力する。
【００４１】
再生位置検出器２６は、再生信号Ｓｒに基づいて、ＣＤの現在の再生位置を検出して検出位置信号Ｓｐを生成して、表示器１９および記憶制御器２０に出力する。
【００４２】
記憶制御器２０は、再生位置検出器２６から入力される検出位置信号Ｓｐと、ＣＤ認識信号抽出器１７から入力されるＣＤ認識信号Ｓｄと、収納曲情報抽出器２４から入力される内容情報信号Ｓｃとに基づいて、ＣＤ再生情報ＰＩ或いはＣＤタイトル表示情報Ｔｄを生成してブリッジメディア書読器１３に出力する。
【００４３】
ブリッジメディア書読器１３は、記憶制御器２０、読出制御器２２、読出情報処理器２３、および記憶内容移植器２７に接続されている。そして、ブリッジメディア書読器１３は、記憶制御器２０から入力されるＣＤ再生情報ＰＩ或いはＣＤタイトル表示情報Ｔｄ、そして記憶内容移植器２７から入力されるＣＤタイトル表示情報Ｔｄをブリッジメディア２００に書き込む。さらに、ブリッジメディア書読器１３は、読出制御器２２から出力される読出制御信号に基づいて、ブリッジメディア２００に記録されているＣＤタイトル表示情報Ｔｄを読み出して読出情報処理器２３に出力する。
【００４４】
なお、必要に応じて、記憶内容移植器２７から出力されてブリッジメディア２００に書き込まれるＣＤタイトル表示情報ＴｄをＣＤタイトル表示情報Ｔｄ（Ｉ）と表示し、ブリッジメディア書読器１３から読出情報処理器２３に出力されるＣＤタイトル表示情報ＴｄをＣＤタイトル表示情報Ｔｄ（Ｏ）と表示して識別する。なお、ＣＤタイトル表示情報Ｔｄ（Ｏ）は、ラインＬ３を介してＭＤ記録装置１００Ｒにも供給される。
【００４５】
読出情報処理器２３は、ブリッジメディア書読器１３から出力されるＣＤタイトル表示情報Ｔｄ（Ｏ）を蓄積すると共に、ＣＤタイトル表示情報Ｔｄ（Ｏ）の内容を表示するための映像信号を生成して表示器１９に出力する。なお、読出情報処理器２３は、ラインＬ４でコンテンツ記録装置１００Ｒに接続されて、タイトル表示情報要求信号Ｒｔｄが供給される。これについては、後ほど図５を参照して説明する。
【００４６】
表示器１９は、読出情報処理器２３から入力される映像信号に基づいて、ＣＤタイトル表示情報Ｔｄ（Ｏ）に含まれるＣＤのアルバム名や曲名を画像表示して、ユーザに提示する。表示器１９は、ブラウン管式テレビ、液晶表示式テレビ、および蛍光管表示素子を用いた蛍光管表示式テレビ等に代表される任意の表示装置を用いることができる。なお、本実施形態においては、液晶表示素子を用いた表示装置が用いられる。
【００４７】
ＣＤ認識器２１は、ＣＤ認識信号抽出器１７から出力されたＣＤ認識信号Ｓｄと、読出情報処理器２３に蓄積されているＣＤタイトル表示情報Ｔｄ（Ｉ）に基づいて、再生中のＣＤのＣＤタイトル表示情報Ｔｄがブリッジメディア２００に記録されているかを判断する機能を有する。
【００４８】
読出制御器２２は、ＣＤ認識器２１から出力される制御信号と、操作器２５から出力される操作信号Ｓｏに基づいて、ブリッジメディア書読器１３のブリッジメディア２００からＣＤタイトル表示情報Ｔｄの読み出し動作を制御する機能を有する。
【００４９】
記憶内容移植器２７は、操作器２５から出力される操作信号Ｓｏに基づいて、読出情報処理器２３に蓄積されているＣＤタイトル表示情報Ｔｄ（Ｏ）を読み出して、ＣＤタイトル表示情報Ｔｄ（Ｉ）としてブリッジメディア書読器１３に出力する。ブリッジメディア書読器１３は格納されているブリッジメディア２００に、ＣＤタイトル表示情報Ｔｄ（Ｉ）を書き込む。このようにして、ＣＤタイトル表示情報Ｔｄを読み出したブリッジメディア２００とは別のブリッジメディア２００に、同じ内容のＣＤタイトル表示情報Ｔｄを移植できる。
【００５０】
なお、ＣＤ認識信号抽出器１７、記憶制御器２０、ＣＤ認識器２１、読出制御器２２、読出情報処理機２３、収納曲情報抽出器２４、再生位置検出器２６、および記憶内容移植器２７は、好ましくはマイクロコンピュータ２８によって実現される。
【００５１】
図３を参照して、タイトル情報取得装置３００について説明する。タイトル情報取得装置３００、つまりＰＣ３００は、アプリケーションソフトウェア３０１、ブリッジメディア書読器３０３、ＬＡＮ３０５、およびＣＰＵ３０７を含み、上述のように好ましくはパーソナルコンピュータで実現される。ブリッジメディア書読器３０３は、前述のブリッジメディア書読器１３と同様の機能を有しており、格納されるブリッジメディア２００に対してデータの読み出しおよび書き込みを行う。ＣＰＵ３０７はアプリケーションソフトウェア３０１に基づいて、ＰＣ３００のＣＤタイトル情報取得動作を制御する。
【００５２】
つまり、ブリッジメディア書読器３０３に格納されるブリッジメディア２００からＣＤ再生情報ＰＩが読みだされ、ＬＡＮ３０５およびネットワークＮＷを介して、外部のタイトル情報データベースサーバＤＢに出力される。タイトル情報データベースサーバＤＢでは、データベースからＣＤ再生情報ＰＩに対応するＣＤタイトル情報ＴＩを読み出し、ネットワークＮＷを介してＰＣ３００に出力する。ＣＤタイトル情報ＴＩは、ＬＡＮ３０５を経由してブリッジメディア書読器３０３に送られる。ブリッジメディア書読器３０３は、ＣＤ再生情報ＰＩを読み出したブリッジメディア２００に対して、ＣＤ再生情報ＰＩと関連させてＣＤタイトル情報ＴＩを記録する。この時点でＣＤタイトル表示情報Ｔｄが完成する。
【００５３】
例えば、ブリッジメディア２００にＣＤ１１ＢのＣＤ再生情報ＰＩ（Ｂ）が記録されている場合には、ＣＤタイトル情報ＴＩ（Ｂ）がタイトル情報データベースサーバＤＢからダウンロードされ、そして、ブリッジメディア２００に書き込まれてＣＤタイトル表示情報Ｔｄ（Ｂ）が完成する。
【００５４】
次に、図４を参照して、ブリッジメディア２００に記録／完成されるＣＤタイトル表示情報Ｔｄの構造について説明する。同図に示すＣＤタイトル表示情報Ｔｄは、ＣＤの１枚毎に生成される。上述のように、本実施形態においてはＣＤ再生装置１００Ｐには５枚のＣＤ（ＣＤ１１Ａ〜ＣＤ１１Ｅ）がセットされているので、それぞれに対してＣＤタイトル表示情報Ｔｄ（Ａ）、ＣＤタイトル表示情報Ｔｄ（Ｂ）、ＣＤタイトル表示情報Ｔｄ（Ｃ）、ＣＤタイトル表示情報Ｔｄ（Ｄ）、およびＣＤタイトル表示情報Ｔｄ（Ｅ）が生成されて、全体としてＣＤタイトル表示情報Ｔｄを構成する。
【００５５】
図２に示す例に従って、ＣＤ１１ＢのＣＤタイトル表示情報Ｔｄ（Ｂ）について説明する。ＣＤタイトル表示情報Ｔｄ（Ｂ）は、ＣＤ再生情報ＰＩ（Ｂ）とＣＤタイトル情報ＴＩ（Ｂ）と含む。ＣＤ再生情報ＰＩは、上述のように本実施形態においてはＣＤのＴＯＣ情報であり、ＣＤタイトル情報ＴＩ（Ｂ）はＣＤ１１Ｂに記録されている音楽の曲名とＣＤ名である。ＴＯＣ情報としては、ＣＤから読み込んだＴＯＣ信号（再生信号Ｓｒ）からできるだけＣＤ毎に差異の出る情報となるようエッセンスを抽出して登録をする。本例においては、簡略化のため最終曲のナンバー（ＬＡＳＴ  ＴＮＯ）と、全曲の演奏終了時間（ＴＯＴＡＬ  ＴＩＭＥ）のみを登録している。
【００５６】
このＣＤ再生情報ＰＩ（ＴＯＣ情報）の後に、ＣＤタイトル情報ＴＩが連続してＣＤのタイトル名（ＣＤ名）、曲番が最初の曲の名前（１曲目の曲名）、２曲目の曲名、……、Ｎ−１曲目の曲目に、Ｎ曲名の曲名（ＮはＣＤに記録されている曲数）というように登録されている。
【００５７】
図５を参照して、コンテンツ記録装置１００Ｒ、つまりＭＤ記録装置１００ＲのＭＤタイトル情報ＴＩｍとしてのＣＤ再生情報ＰＩの記録、および同ＭＤタイトル情報ＴＩｍ（ＣＤ再生情報ＰＩ）のＣＤタイトル情報ＴＩの更新について重点的に説明する。よって、通常のＭＤからの音楽再生や表示機能などに関する説明は割愛する。
【００５８】
ＭＤ記録装置１００Ｒは、ＭＤ記録再生器１１１、音声記録器１１２、認識信号記録器１１３、ＭＤ認識信号抽出器１１４、認識信号比較器１１５、ＭＤタイトル制御器１１６、およびＭＤタイトル記録器１１７を含む。なお、音声記録器１１２はラインＬ１でＣＤ再生装置１００ＰのＣＤ再生器１６に接続されて、再生信号Ｓｒが供給される。認識信号記録器１１３は、ラインＬ２でＣＤ認識信号抽出器１７に接続されて、ＣＤ認識信号Ｓｄが供給される。認識信号比較器１１５は、ラインＬ３で読出情報処理器２３に接続されて、ＣＤタイトル表示情報Ｔｄ（Ｏ）が供給される。ＭＤタイトル制御器１１６は、ラインＬ４を介して読出情報処理器２３に対して、補正信号ｉｄ（Ｏ）の出力を要求するタイトル表示情報要求信号Ｒｔｄを出力する。
【００５９】
また、コンテンツ記録装置１００Ｒの全体が、ラインＬ５で操作器２５に接続されて、操作信号Ｓｏが供給される。この操作信号Ｓｏに基づいて、ＣＤ再生装置１００ＰによってＣＤ１１から生成された再生信号Ｓｒに種々の処理を施して、ＭＤ１５０に音楽を記録する動作が行われる。
【００６０】
ＭＤ記録再生器１１１は、外部から装着されるＭＤ１５０に対して、信号の書込および読出を行う機能を有する。音声記録器１１２は、ＣＤから再生された再生信号Ｓｒの内の音楽成分を取り出して、ＭＤでの記録に適した音楽信号Ｓｒｍを生成する。さらに、音声記録器１１２は音楽信号ＳｒｍをＭＤ記録再生器１１１に出力して、ＭＤ１５０に音声データとして記録させる。
【００６１】
認識信号記録器１１３は、ＣＤ認識信号Ｓｄに含まれるＣＤ再生情報ＰＩを抽出して、本来、ＭＤタイトル情報ＴＩｍが書き込まれるべきタイトル情報記録領域に記録される認識信号Ｓｄｍを生成する。本実施形態において、ＣＤ再生情報ＰＩはＣＤ１１のＴＯＣ情報である。このようにして、ＣＤ１１からＭＤ１５０に音楽を記録する際に、ＣＤ１１のＣＤタイトル情報ＴＩが無い場合には、ＣＤ１１のＣＤ再生情報ＰＩであるＴＯＣ情報（Ｓｄ）がＭＤタイトル情報ＴＩｍとしてＭＤ１５０に記録される。
【００６２】
なお、ＣＤ１１がＣＤ−ＴＥＸＴのように、ＣＤタイトル情報ＴＩを含む場合には、ＣＤタイトル情報ＴＩをＭＤ１５０に直接ＭＤタイトル情報ＴＩｍとして記録する手段を設けてもよい。
【００６３】
ＭＤ記録再生器１１１は、ＭＤ１５０を再生してＭＤ再生信号ＳＭｒを生成する。ＭＤ再生信号ＳＭｒは、ＭＤ認識信号抽出器１１４に供給される。
【００６４】
ＭＤ認識信号抽出器１１４は、ＭＤ再生信号ＳＭｒからＭＤタイトル情報ＴＩｍを抽出する。このＭＤタイトル情報ＴＩｍは認識信号比較器１１５に供給される。なお、本例においては、この場合のＭＤタイトル情報ＴＩｍは、ＣＤ１１ＢのＴＯＣ情報（ＣＤ再生情報ＰＩ（Ｂ））である。
【００６５】
認識信号比較器１１５は、読出情報処理器２３から供給されるＣＤタイトル表示情報Ｔｄ（Ｏ）と、ＭＤ認識信号抽出器１１４から供給されるＭＤタイトル情報ＴＩｍとを比較する。そして、認識信号比較器１１５は、このＭＤタイトル情報ＴＩｍ、つまりＣＤ１１ＢのＴＯＣ情報であるＣＤ再生情報ＰＩ（Ｂ）と合致するものが、タイトル表示情報Ｔｄ（Ｏ）のＣＤ再生情報ＰＩにあるか否かを判断して、判断信号Ｓｊを生成してＭＤタイトル制御器１１６に出力する。
【００６６】
ＭＤタイトル制御器１１６は、判断信号Ｓｊに基づいて、現在供給されているＣＤタイトル表示情報Ｔｄ（Ｏ）がＭＤ１５０から読み出したＣＤ再生情報ＰＩ（ＭＤタイトル情報ＴＩｍ）を含んでいない場合は、タイトル表示情報要求信号Ｒｔｄを生成して、読出情報処理器２３に対して次のＣＤタイトル表示情報Ｔｄ（Ｏ）の出力を要求する。一方、現在供給されているＣＤタイトル表示情報Ｔｄ（Ｏ）が、ＭＤ１５０から読み出しているＣＤ再生情報ＰＩ（ＭＤタイトル情報ＴＩｍ）を含んでいる時には、ＭＤタイトル記録器１１７に対して、現在供給されているＣＤタイトル表示情報Ｔｄ（Ｏ）に含まれるＣＤタイトル情報ＴＩをＭＤタイトル情報ＴＩｍとして出力させるタイトル情報書込要求信号Rｗを生成する。
【００６７】
ＭＤタイトル記録器１１７は、タイトル情報書込要求信号Rｗに応答して、入力中のＣＤタイトル表示情報Ｔｄ（Ｏ）のＣＤタイトル情報ＴＩを抽出し、ＭＤ１５０のＭＤタイトル情報ＴＩｍに適した信号に変換してＭＤ記録再生器１１１に出力する。
【００６８】
ＭＤ記録再生器１１１は、ＭＤタイトル記録器１１７から出力されたＭＤタイトル情報ＴＩｍで、現在のタイトル情報記録領域に書き込まれているＣＤ再生情報ＰＩを書き換える。このようにして、間違った内容のＭＤタイトル情報ＴＩｍは正しい内容に更新される。なお、上述のタイトル情報記録領域とは別の領域に、ＣＤ認識信号Ｓｄｍを記録してもよい。ただし、この場合、ＭＤ認識信号抽出器１１４はその領域からＣＤ認識信号Ｓｄｍを読み出し、認識信号比較器１１５はＣＤ認識信号Ｓｄｍとタイトル表示情報Ｔｄ（Ｏ）とを比較して判断信号Ｓｊを生成する。
【００６９】
次に、図６、図７、および図８に示すフローチャートを参照して、コンテンツ記録システムＡＴＣにおける、ＭＤ記録動作について説明する。図６は、ＣＤの再生時にＣＤ再生装置１００Ｐによって行われるブリッジメディア２００にＣＤタイトル表示情報Ｔｄを記録するための準備、つまり未完成なＣＤタイトル表示情報Ｔｄの記録を表している。図７は、準備されたブリッジメディア２００に記録されている未完成なＣＤタイトル表示情報Ｔｄを完成させる動作を表している。そして、図８は、完成したＣＤタイトル表示情報Ｔｄが記録されているブリッジメディア２００を利用して、ＭＤのＭＤタイトル情報ＴＩｍを正しい内容に更新する動作を示している。
【００７０】
先ず、図６を参照して、ブリッジメディア２００の準備（未完成なＣＤタイトル表示情報Ｔｄの記録）動作について説明する。マイクロコンピュータ２８の動作に必要な電源投入や必要な初期設定動作は完了しているものとする。ブリッジメディア２００がブリッジメディア書読器１３に格納されていると共に、ＣＤ収納器１２にＣＤ１１が収納されているＣＤ格納器１４をＣＤ再生装置１００Ｐの本体に装着することにより、ＣＤ収納器１２内のＣＤが再生可能となる。
【００７１】
よって、ステップＳ２において、ブリッジメディア２００がブリッジメディア書読器１３に装着されているか否かが判断される。ブリッジメディア２００が装着された時点で制御は次のステップＳ４に進む。
【００７２】
ステップＳ４において、ブリッジメディア２００からＣＤタイトル表示情報Ｔｄが読み出されて、読出情報処理器２３に蓄積される。ブリッジメディア２００から読み出されたＣＤタイトル表示情報Ｔｄは、上述のようにＣＤタイトル表示情報Ｔｄ（Ｏ）として識別される。そして、制御は次のステップＳ６に進む。
【００７３】
ステップＳ６において、ユーザによるＭＤ１５０に音楽を記録するＣＤの選択指示が受け付けられる。本例においては、ユーザは操作器２５を操作してＣＤ１１Ｂの音楽をＭＤ１５０に記録するように指示する。このユーザの操作に基づいて、操作器２５は操作信号Ｓｏを生成する。操作信号Ｓｏは、ＣＤ選択器１５、ＣＤ再生器１６、読出制御器２２、記憶内容移植器２７、およびコンテンツ記録装置１００Ｒに供給される。そして、制御は次のステップＳ８に進む。
【００７４】
なお、ＭＤ記録装置１００Ｒにおいては、本ステップで生成される操作信号Ｓｏに基づいて、ＭＤ記録装置１００Ｒによる再生信号ＳｒのＭＤ１５０への記録が開始される。さらに下記に述べるステップの何れかにおいて生成される信号に基づいて、ＣＤ再生装置１００ＰでＣＤ１１から再生された再生信号ＳｒのＭＤ記録装置１００ＲによるＭＤ記録が実行される。これらの動作については、（ＣＤ認識信号Ｓｄｍ）としてＣＤ再生情報ＰＩ（ＣＤ認識信号Ｓｄｍ）をＭＤタイトル情報ＴＩｍとしてＭＤ１５０に書き込む、或いはＭＤ１５０の所定の領域に書き込む点を除いては、本発明の特徴とするものではない。また、ＣＤ再生情報ＰＩ（ＣＤ認識信号Ｓｄｍ）をＭＤタイトル情報ＴＩｍあるいはＣＤ認識信号ＳｄｍとしてＭＤ１５０に書き込む技術自体は従来の手法を用いることができる。よって、再生信号ＳｒのＭＤ１５０への書込動作についての説明は割愛する。
【００７５】
ステップＳ８において、ＣＤ選択器１５は、操作信号Ｓｏに基づいて、ＣＤ１１ＢをＣＤ収納器１２から取り出して、ＣＤ再生器１６に載置する。ＣＤ再生器１６はＣＤ１１Ｂを再生して、再生信号Ｓｒを生成する。再生信号Ｓｒは、ＣＤ認識信号抽出器１７、再生位置検出器２６、収納曲情報抽出器２４、およびＭＤ記録装置１００Ｒに供給される。そして、制御は次のステップＳ１０に進む。
【００７６】
ステップＳ１０において、再生位置検出器２６は、再生信号ＳｒのサブコードのＱチャンネル信号に基づいて、曲のナンバー（ＴＮＯ）、つまり再生位置を検出して検出位置信号Ｓｐを生成する。検出位置信号Ｓｐは表示器１９および読出情報処理器２３に供給される。そして、ＣＤ認識信号抽出器１７は、再生信号ＳｒからサブコードのＱチャンネル信号で曲のナンバー（ＴＮＯ）＝“００“であるＴＯＣ信号を抽出して、ＣＤ認識信号Ｓｄ
を生成する。ＣＤ認識信号Ｓｄは、記憶制御器２０およびＣＤ認識器２１に供給される。そして、制御は次のステップＳ１２に進む。
【００７７】
ステップＳ１２において、ステップＳ１０において読み込んだＴＯＣ信号（ＣＤ認識信号Ｓｄ）に対応したＴＯＣ情報がすでにブリッジメディア２００に記録されているか否かが判断される。具体的には、ＣＤ認識器２１が、読出情報処理器２３に蓄積されているＣＤタイトル表示情報Ｔｄ（Ｏ）の中に、ＣＤ認識信号抽出器１７から入力されＴＯＣ情報（ＣＤ認識信号Ｓｄ）と一致するものがあるか否かを判断する。そして、一致するものがなければ、ＣＤ１１ＢのＴＯＣ情報はブリッジメディア２００に登録されていないのでＮｏと判断されて、制御は次のステップＳ１４に進む。
【００７８】
ステップＳ１４において、ＣＤ１１ＢはＣＤ名や曲番毎の曲名が収録されているＣＤであるか否かが判断される。具体的には、収納曲情報抽出器２４によって、再生信号Ｓｒ中のサブコード信号のＳからＷまでのビットにＣＤのタイトル名や曲番毎の曲名を含むＣＤタイトル情報ＴＩが収録されているか否かが判断される。ＣＤ１１Ｂが例えばＣＤ名や曲名が記録されている場合にはＹｅｓと判断されて、制御はステップＳ１６に進む。
【００７９】
ステップＳ１６において、ＣＤ１１ＢからＣＤ名や曲名が読み出されて、ＴＯＣ情報と共にブリッジメディア２００に書き込まれる。具体的には、収納曲情報抽出器２４が再生信号ＳｒからＣＤタイトル情報ＴＩを読み出して内容情報信号Ｓｃを生成し、記憶制御器２０に入力する。記憶制御器２０は、ＣＤ認識信号抽出器１７から入力されるＴＯＣ情報（ＣＤ認識信号Ｓｄ）と、収納曲情報抽出器２４から入力されるＣＤタイトル情報ＴＩ（内容情報信号Ｓｃ）を組み合わせてＣＤタイトル表示情報Ｔｄを構成して、ブリッジメディア書読器１３に出力する。
【００８０】
ブリッジメディア書読器１３は、このＣＤタイトル表示情報Ｔｄをブリッジメディア２００に記録する。このようにして、ＣＤタイトル情報ＴＩを含むＣＤの場合には、そのＣＤタイトル表示情報Ｔｄがブリッジメディア２００に記録される。そして、制御は上述のステップＳ２に戻る。
【００８１】
一方、上述のステップＳ１４においてＮｏ、つまりＣＤ１１Ｂが通常の音楽ＣＤのような記録媒体の場合には、制御はステップＳ１８に進む。
【００８２】
ステップＳ１８において、ブリッジメディア２００にＣＤ１１ＢのＴＯＣ情報が書き込まれる。具体的には、記憶制御器２０は、ＣＤ認識信号抽出器１７から入力されるＴＯＣ情報（ＣＤ認識信号Ｓｄ）をブリッジメディア書読器１３に出力する。ブリッジメディア書読器１３は、ＴＯＣ情報をＣＤ再生情報ＰＩ（Ｂ）としてブリッジメディア２００に記録する。このようにして、ブリッジメディア２００において、ＣＤタイトル情報ＴＩを含まない、いわば未完成なＣＤタイトル表示情報Ｔｄ（Ｂ）が生成される。そして、制御は上述のステップＳ２に戻る。
【００８３】
さらに、上述のステップＳ１２においてＹｅｓ、つまりＣＤ１１ＢのＴＯＣ情報（ＣＤ再生情報ＰＩ（Ｂ））がブリッジメディア２００に既に記録されている場合には、制御はステップＳ２０に進む。
【００８４】
ステップＳ２０において、ＣＤタイトル情報ＴＩ（Ｂ）もブリッジメディア２００に記録されているか否かが判断される。具体的には、ＣＤ認識器２１が、読出情報処理器２３に蓄積されているＣＤタイトル表示情報Ｔｄ（Ｂ）にＣＤタイトル情報ＴＩ（Ｂ）が実際に記録されているか否かを判断する。Ｎｏの場合は、ＣＤ１１ＢのＣＤタイトル表示情報Ｔｄ（Ｂ）には、ＣＤ再生情報ＰＩ（ＴＯＣ情報）は記録されているがＣＤタイトル情報ＴＩは記録されていない。これは、上述のステップＳ１８を経た時点と同じ状態の、未完成なＣＤタイトル表示情報Ｔｄ（Ｂ）であることを意味している。よって、制御は上述のステップＳ２に戻る。
【００８５】
ステップＳ２０でＹｅｓ、つまりＣＤ１１ＢのＣＤタイトル表示情報Ｔｄ（Ｂ）は完成されている場合には、制御はステップＳ２２に進む。
【００８６】
ステップＳ２２において、ＣＤ１１Ｂに記録されているコンテンツの内容を示す対応するＣＤタイトル情報ＴＩ（Ｂ）の内容が表示器１９で表示される。具体的には、読出情報処理器２３が蓄積されているＣＤタイトル表示情報Ｔｄ（Ｂ）のＣＤタイトル情報ＴＩ（Ｂ）の内容を表す映像信号を生成して表示器１９に出力する。同映像信号にもとづいて、表示器１９は、ＣＤ名や曲名のＣＤタイトル情報ＴＩを表示する。そして制御は上述のステップＳ２に戻る。
【００８７】
このようにして、ＣＤ格納器１４に格納されているすべてのＣＤに対して、ブリッジメディア２００にＣＤタイトル表示情報Ｔｄが記録（登録）されているかが確認される。そして、ＣＤタイトル表示情報Ｔｄが記録されているＣＤに関しては、そのＣＤ名や曲名が表示器１９によって表示できる。また、ＣＤタイトル表示情報Ｔｄが記録されていないＣＤに関しては、ブリッジメディア２００にＣＤタイトル情報ＴＩ（ＴＯＣ情報）のみが書き込まれた、未完成なＣＤタイトル表示情報Ｔｄが記録（登録）される。
【００８８】
次に、図７に示すフローチャートを参照して、ＰＣ３００による上述の未完成なＣＤタイトル表示情報Ｔｄを完成させるタイトル情報取得方法について説明する。上述のステップＳ２〜Ｓ２２における処理の結果、完全なＣＤタイトル表示情報Ｔｄと不完全なＣＤタイトル表示情報Ｔｄがブリッジメディア２００に取得される。このブリッジメディア２００を、ブリッジメディア書読器１３から取り出して、ＰＣ３００のブリッジメディア書読器３０３に装着させた時点で、ＰＣ３００にタイトル情報取得或いはタイトル表示情報完成処理が開始される。
【００８９】
よって、ステップＳ１０２において、ブリッジメディア２００がブリッジメディア書読器３０３に装着されているか否かが判断される。ブリッジメディア２００が装着された時点で制御は次のステップＳ１０４に進む。
【００９０】
ステップＳ１０４において、ブリッジメディア２００からＣＤタイトル表示情報Ｔｄが１つずつ検出される。そして、制御は次のステップＳ１０６に進む。
【００９１】
ステップＳ１０６において、検出されたＣＤタイトル表示情報Ｔｄが未完成、つまりＣＤ再生情報ＰＩ（ＴＯＣ情報）は記録されているが、ＣＤタイトル情報ＴＩは記録されていない状態か否かが判断される。Ｎｏと判断される場合は、上述のステップＳ１６を経て完成されたＣＤタイトル表示情報Ｔｄ或いはステップＳ２２で表示された完成しているＣＤタイトル表示情報Ｔｄが検出されたことを意味する。完成されたＣＤタイトル表示情報Ｔｄは、ＣＤタイトル情報ＴＩを取得する必要がないので、制御は上述のステップＳ１０４に戻る。
一方、本ステップにおいてＮｏと判断される場合は、上述のステップＳ１８を経た、或いはステップＳ２０でＮｏと判断された未完成状態のＣＤタイトル表示情報Ｔｄが検出されたことを意味する。未完成なＣＤタイトル表示情報Ｔｄは、ＣＤタイトル情報ＴＩを取得して完成させる必要があるので、制御は次のステップＳ１０８に進む。
【００９２】
ステップＳ１０８において、ステップＳ１０６において未完成と判断されたＣＤタイトル表示情報ＴｄのＣＤ再生情報ＰＩが読み出される。そして、制御は次のステップＳ１１０に進む。
【００９３】
ステップＳ１１０において、ブリッジメディア２００に、検出対象のＣＤタイトル表示情報Ｔｄが残っているか否かが判断される。残っている場合はＮｏと判断されて、制御は上述のステップＳ１０４、ステップＳ１０６、およびＳ１０８における処理を繰り返す。そして、本ステップにおいてＹｅｓと判断された時点で、制御は次のステップＳ１１２に進む。このようにして、ブリッジメディア２００に記録されている未完成なＣＤタイトル表示情報ＴｄのＣＤ再生情報ＰＩ（ＴＯＣ情報）がすべて、読み出される。
【００９４】
ステップＳ１１２において、ＰＣ３００は、ＬＡＮ３０５を利用し、ネットワークＮＷを介してタイトル情報データベースサ−バＤＢに接続される。そして、制御は次のステップＳ１１４に進む。
【００９５】
ステップＳ１１４において、ＰＣ３００は、ステップＳ１０８で読み出されたＣＤ再生情報ＰＩを順番にキーとして、タイトル情報データベースサ−バＤＢに記録されているＣＤタイトル表示情報Ｔｄを検索する。そして、制御は次のステップＳ１１６に進む。
【００９６】
ステップＳ１１６において、ブリッジメディア２００から読み出されたＣＤ再生情報ＰＩと同一のＣＤ再生情報ＰＩを有するＣＤタイトル表示情報Ｔｄがタイトル情報データベースサ−バＤＢ中にあるか否かが判断される。Ｎｏ、つまりタイトル情報データベースサ−バＤＢには、未完成ＣＤタイトル表示情報Ｔｄに対応するＣＤタイトル表示情報Ｔｄが格納されていない場合は、制御はステップＳ１１４に戻り、別のＣＤ再生情報ＰＩで検索する。そして、本ステップにおいてＹｅｓ、つまり未完成ＣＤ再生情報ＰＩに対応するＣＤタイトル表示情報Ｔｄがタイトル情報データベースサ−バＤＢに格納されている場合に、制御は次のステップＳ１１８に進む。
【００９７】
ステップＳ１１８において、該当するＣＤタイトル表示情報ＴｄのＣＤタイトル情報ＴＩがタイトル情報データベースサ−バＤＢからＰＣ３００にダウンロードされる。そして、制御は次のステップＳ１２０に進む。
【００９８】
ステップＳ１２０において、ステップＳ１１８でダウンロードされたＣＤタイトル情報ＴＩが対応するＣＤ再生情報ＰＩに関連づけてブリッジメディア２００に追記される。このようにして、ＣＤ再生装置１００Ｐにおいては、未完成であったブリッジメディア２００中のＣＤタイトル表示情報Ｔｄが完成される。そして、制御は次のステップＳ１２２に進む。
【００９９】
ステップＳ１２２において、検索キーとなるＣＤタイトル情報ＴＩが残っているか否かが判断される。残っている場合はＮｏと判断されて、制御は上述のステップＳ１１４、Ｓ１１６、Ｓ１１８、およびＳ１２０における処理を繰り返す。そして、本ステップにおいてＹｅｓと判断された時点で、制御は終了する。このようにして、ブリッジメディア２００に記録されている未完成なＣＤタイトル表示情報Ｔｄであって、対応するＣＤタイトル表示情報Ｔｄがタイトル情報データベースサ−バＤＢに格納されているものはすべてＣＤタイトル情報ＴＩが追記されて完成される。
【０１００】
このようにして、ＣＤ再生装置１００Ｐ中では未完成であったＣＤタイトル表示情報Ｔｄが完成されたブリッジメディア２００を、ブリッジメディア書読器３０３から取り出して、ＣＤ再生装置１００Ｐのブリッジメディア書読器１３に装着することによって、図６のステップＳ２２における表示器１９によるアルバム名や曲名のタイトル情報の表示が可能になる。
【０１０１】
次に、図８を参照して、主にＭＤ記録装置１００Ｒによる、完成したＣＤタイトル表示情報Ｔｄが記憶されたブリッジメディア２００を利用して、ＭＤ１５０にＭＤタイトル情報ＴＩｍとして記録されてＴＯＣ情報（ＣＤ再生情報ＰＩ）を、正しい内容のＣＤタイトル情報ＴＩで書き直す動作について説明する。上述のステップＳ１０２〜Ｓ１２２における処理の結果、完全なＣＤタイトル表示情報Ｔｄがブリッジメディア２００に取得される。なお、タイトル情報データベースサーバＤＢに格納されていないＣＤタイトル表示情報Ｔｄに関しては不完全なままで残るが、本発明において何ら問題にはならない。
【０１０２】
このブリッジメディア２００が、ＰＣ３００のブリッジメディア書読器３０３から取り出されてブリッジメディア書読器１３に装着されると共に、ＭＤタイトル情報ＴＩｍが記録済みのＭＤ１５０がＭＤ記録再生器１１１に装着された時点で、ＭＤ記録装置１００Ｒによる、ＭＤタイトル情報ＴＩｍの更新処理が開始される。また、ＭＤ１５０には上述のＣＤ認識信号Ｓｄｍ（ＣＤ再生情報ＰＩ）がＭＤタイトル情報ＴＩｍとして記録されている方が好ましいが、そのようなＭＤタイトル情報ＴＩｍが記録されていなくても本発明による動作は開始する。
【０１０３】
ブリッジメディア２００がブリッジメディア書読器１３に装着されると、自動的に上述のステップＳ４におけるＣＤタイトル表示情報Ｔｄ（Ｉ）の読み出しと、読出情報処理器２３へのＣＤタイトル表示情報Ｔｄ（Ｏ）の蓄積が行われる。
【０１０４】
よって、ステップＳ２０２において、ブリッジメディア２００とＭＤ１５０がそれぞれ、ブリッジメディア書読器３０３およびＭＤ記録再生器１１１に装着されているか否かが判断される。両方が装着された時点で制御は次のステップＳ２０４に進む。
【０１０５】
ステップＳ２０４において、ＭＤ記録再生器１１１によってＭＤ１５０が再生されて、ＭＤ再生信号ＳＭｒが生成される。そして、ＭＤ認識信号抽出器１１４がＭＤ再生信号ＳＭｒからＭＤタイトル情報ＴＩｍを抽出して、認識信号比較器１１５に供給する。そして、制御は次のステップＳ２０６に進む。
【０１０６】
ステップＳ２０６において、認識信号比較器１１５によって、抽出されたＭＤタイトル情報ＴＩｍが不正、つまりＣＤ再生情報ＰＩ（ＴＯＣ情報）であるか否かが判断される。ＭＤタイトル情報ＴＩｍがＣＤ再生情報ＰＩではなく、ＣＤタイトル情報ＴＩであるばあいには、Ｎｏと判断される。そして、制御は上述のステップＳ２０４に戻って、次のＭＤタイトル情報ＴＩｍが抽出される。ＭＤタイトル情報ＴＩｍがＣＤ再生情報ＰＩ（ＴＯＣ情報）の場合は、Ｙｅｓと判断されて、制御は次のステップＳ２０８に進む。
【０１０７】
ステップＳ２０８において、読出情報処理器２３からＣＤタイトル表示情報Ｔｄ（Ｏ）が読み出される。具体的には、ＭＤタイトル制御器１１６がタイトル表示情報要求信号Ｒｔｄを読出情報処理器２３に供給する。これに応答して、読出情報処理器２３がＣＤタイトル表示情報Ｔｄ（Ｏ）を認識信号比較器１１５およびＭＤタイトル記録器１１７に供給する。そして、制御は次のステップＳ２１０に進む。
【０１０８】
、
ステップＳ２１０において、ステップＳ２０４で検出されたＣＤ再生情報ＰＩのＴＯＣ情報と、ステップＳ２０８で読出情報処理器２３から供給されたＣＤタイトル表示情報Ｔｄ（Ｏ）のＴＯＣ情報（ＣＤ再生情報ＰＩ）が一致するか否かが判断される。一致しないときは、制御は上述のステップＳ２０８に戻り、次のタイトル表示情報Ｔｄ（Ｏ）が読出情報処理器２３から読み出される。
【０１０９】
一致する場合は、現在供給されているＣＤタイトル表示情報Ｔｄ（Ｏ）は、ＭＤ１５０に、ＭＤタイトル情報ＴＩｍとして記録されるべきＣＤタイトル情報ＴＩを有していることを意味している。よって、制御は次のステップＳ２１２に進む。
【０１１０】
ステップＳ２１２において、ＭＤタイトル制御器１１６が、ＭＤタイトル記録器１１７に入力中のＣＤタイトル表示情報Ｔｄ（Ｏ）に含まれるＣＤタイトル情報ＴＩをＭＤタイトル情報ＴＩｍとして出力させるべく、タイトル情報書込要求信号Ｒｗを生成する。そして、制御は次のステップＳ２１４に進む。
【０１１１】
ステップＳ２１４において、ＭＤタイトル記録器１１７は、タイトル情報書込要求信号Ｒｗに応答して、入力中のＣＤタイトル表示情報Ｔｄ（Ｏ）からＣＤタイトル情報ＴＩを抽出して、ＭＤタイトル情報ＴＩｍとしてＭＤ記録再生器１１１に出力する。そして、制御は次のステップＳ２１６に進む。
【０１１２】
ステップＳ２１６において、ＭＤタイトル記録器１１７は、ＭＤ１５０の現在の不正なＭＤタイトル情報ＴＩｍ（ＴＯＣ情報）を、ＭＤタイトル記録器１１７から出力された正しいＭＤタイトル情報ＴＩｍで置き換えて更新する。そして、制御は次のステップＳ２１８に進む。
【０１１３】
ステップＳ２１８において、ＭＤ再生信号ＳＭｒ中に未処理のＭＤタイトル情報ＴＩｍが有るか否かが判断される。有る場合、制御は上述のステップＳ２０４〜Ｓ２１６の処理を繰り返す。そして、本ステップで無しと判断された場合に制御は終了する。
【０１１４】
このようにして、ＭＤ記録時にＣＤタイトル情報ＴＩが有効でない場合にも、ＣＤ再生情報ＰＩ（ＴＯＣ情報）をＭＤタイトル情報ＴＩｍとして書き込みながら、ＭＤ記録を続けて完了させることができる。そして、当該ＣＤのＣＤタイトル情報ＴＩが取得された時点で、ＣＤタイトル情報ＴＩ（ＣＤタイトル表示情報Ｔｄ）が書き込まれたブリッジメディア２００をＣＤ再生装置１００Ｐに装着することによって、自動的にＴＯＣ情報に対応するＣＤタイトル情報ＴＩがブリッジメディア２００から取得される。
【０１１５】
さらに、その時点で、ＭＤ１５０にＭＤタイトル情報ＴＩｍとして書き込まれていたＣＤ再生情報ＰＩ（ＴＯＣ情報は）は、取得された正しいＭＤタイトル情報ＴＩｍによって書き直されるので、ＣＤ再生装置１００Ｐ或いはＭＤ記録装置１００Ｒの何れにおいても、外部データベースＤＢからＣＤタイトル情報ＴＩをダウンロードできる機能や設備を要することなく、ＭＤにＭＤタイトル情報ＴＩｍを記録できる。
なお、上述のように、本発明は基本的にタイトル情報を有しないコンテンツを、タイトル情報を記録できる記録媒体に記録し、コンテンツとは別の手段から取得するタイトル情報を媒体に記録することによって、タイトル情報を備えてコンテンツを記録するものである。よって、コンテンツデータと記録媒体とが、このような関係にある場合には、コンテンツの種類、記録媒体の種類、およびコンテンツ伝送方法や手段に関わらず、本発明を適用できることは明らかである。
【産業上の利用可能性】
【０１１６】
外部のデータベースを利用できる機能を有しない或いは環境下にない状態で、タイトル情報を含まないコンテンツデータを、コンテンツデータとは別の手段から取得したタイトル情報と共に記録する記録装置等に利用できる。
【図面の簡単な説明】
【０１１７】
【図１】本発明の実施形態にかかるコンテンツ記録システムの構成を示すブロック図
【図２】図１に示したコンテンツ再生装置の構成を示すブロック図
【図３】図１に示したタイトル情報取得装置の構成を示すブロック図
【図４】本発明にかかるＣＤタイトル表示情報の構成を示す模式図
【図５】図１に示したコンテンツ記録装置の構成を示すブロック図
【図６】第１図に示したコンテンツ再生装置の動作を示すフローチャート
【図７】第１図に示したタイトル情報取得装置の動作を示すフローチャート
【図８】第１図に示したコンテンツ記録装置の動作を示すフローチャート
【図９】コンパクトディスクから再生されるサブコード信号のフォーマットを表す模式図
【図１０】コンパクトディスクから再生されるＴＯＣ情報のフォーマットを表す模式図
【符号の説明】
【０１１８】
ＡＴＣ  ＭＤ記録装置
ＤＢ  タイトル情報データベースサーバ
１１  ディスク
１２  ディスク収納器
１３  ブリッジメディア書読器
１４  記録媒体格納器
１５  ディスク選択器
１６  ディスク再生器
１７  ディスク認識信号抽出器
１９  表示器
２０  記憶制御器
２１  ＣＤ認識器
２２  読出制御器
２３  読出情報処理器
２４  収納曲情報抽出器
２７  記憶内容移植器
２８  マイクロコンピュータ。
１００  コンテンツ記録再生装置
１００Ｐ  コンテンツ再生装置
１００Ｒ  コンテンツ記録装置
１１１  ＭＤ記録再生器
１１２  音声記録器
１１３  認識信号記録器
１１４  ＭＤ認識信号抽出器
１１５  認識信号比較器
１１６  ＭＤタイトル制御器
１１７  ＭＤタイトル記録器
１５０  ＭＤ
２００  ブリッジメディア
３００  タイトル情報取得装置
３０１  アプリケーションソフトウェア
３０３  ブリッジメディア書読器
３０５  ＬＡＮ
【図１】
2005293756.tif 000003
【図２】
2005293756.tif 000004
【図３】
2005293756.tif 000005
【図４】
2005293756.tif 000006
【図５】
2005293756.tif 000007
【図６】
2005293756.tif 000008
【図７】
2005293756.tif 000009
【図８】
2005293756.tif 000010
【図９】
2005293756.tif 000011
【図１０】
2005293756.tif 000012